(57)【要約】      （修正有）【課題】見栄えの低下を抑制しつつ光源から放射される光を広角に配光する照明器具用配光レンズを提供する。【解決手段】固体発光素子５２１から放射される光が入射する入射面５１０と、前記入射面よりも口径が小さく且つ前記入射面に向かって凹んだすり鉢状の出射面５１１とを底面とし、前記入射面の周縁と前記出射面の周縁とを繋ぐ側面を、前記入射面から入射する光を反射する反射面とする立体形状に形成され、前記側面は、前記固体発光素子の光軸に沿って前記入射面から遠離るに連れて所定の割合で縮径する複数の傾斜面を有し、前記複数の傾斜面が縮径する前記割合が前記入射面からの距離に対応して互いに異なるように形成する。【選択図】図１
2015099205.tif 000002
【特許請求の範囲】
【請求項１】
固体発光素子から放射される光が入射する入射面と、前記入射面よりも口径が小さく且つ前記入射面に向かって凹んだすり鉢状の出射面とを底面とし、前記入射面の周縁と前記出射面の周縁とを繋ぐ側面を、前記入射面から入射する光を反射する反射面とする立体形状に形成され、前記側面は、前記固体発光素子の光軸に沿って前記入射面から遠離るに連れて所定の割合で縮径する複数の傾斜面を有し、前記複数の傾斜面が縮径する前記割合が前記入射面からの距離に対応して互いに異なるように形成されることを特徴とする照明器具用配光レンズ。
【請求項２】
前記複数の傾斜面は、前記入射面に近い方の第１傾斜面と、前記入射面から遠い方の第２傾斜面とからなり、前記第１傾斜面と前記第２傾斜面との境界が、前記入射面から前記出射面までの中間位置よりも前記入射面寄りの位置となるように形成されることを特徴とする請求項１記載の照明器具用配光レンズ。
【請求項３】
前記複数の傾斜面は、前記入射面に近いものほど、前記縮径する割合が小さくなるように形成されることを特徴とする請求項１又は２記載の照明器具用配光レンズ。
【請求項４】
請求項１〜３の何れかの照明器具用配光レンズと、固体発光素子からなる光源と、前記照明器具用配光レンズ及び前記光源を保持する器具本体とを備えることを特徴とする照明器具。
【請求項５】
前記複数の傾斜面の境界で前記照明器具用配光レンズを保持する保持部材を備えることを特徴とする請求項４記載の照明器具。
【発明の詳細な説明】
【技術分野】
【０００１】
本発明は、照明器具に用いられて光源から放射される光の配光を制御する照明器具用配光レンズ、及びその照明器具用配光レンズを用いる照明器具に関する。
【背景技術】
【０００２】
従来例として、特許文献１記載の光束制御部材(配光レンズ)を例示する。この光束制御部材は、光軸方向から見た平面形状が略円形形状であり、入射面側に発光素子の光出射面に密着する凹みが形成されている。
【０００３】
また、この光束制御部材は、その外表面側に光制御出射面が形成されている。この光制御出射面は、光軸を中心とする所定範囲に位置する第１の出射面と、この第１の出射面の周囲に連続して形成される第２の出射面とを有する。このうち、第１の出射面は、下に凸の滑らかな曲面形状であり、球の一部を切り取ったような凹み形状になっている。また、第２の出射面は、第１の出射面に連続して形成される上に凸の滑らかな曲面形状であり、その平面形状が第１の出射面を取り囲む略中空円板形状に形成されている。
【０００４】
上記従来例の光束制御部材によれば、発光素子から発せられた光の光束を効率的且つ広範囲に滑らかに拡げることができる。
【先行技術文献】
【特許文献】
【０００５】
【特許文献１】特開２００６−９２９８３号公報
【発明の概要】
【発明が解決しようとする課題】
【０００６】
ところで、例えば、天井埋め込み形の照明器具に上述した光束制御部材(配光レンズ)が用いられる場合、所望の配光を得るためには、光束制御部材の光制御出射面を天井から屋内側に突出させる必要がある。したがって、屋内側から見ると、天井から光束制御部材の一部が突出するために見栄えが良くないという問題が生じる。
【０００７】
本発明は、上記課題に鑑みて為されたものであり、見栄えの低下を抑制しつつ光源から放射される光を広角に配光することを目的とする。
【課題を解決するための手段】
【０００８】
本発明の照明器具用配光レンズは、固体発光素子から放射される光が入射する入射面と、前記入射面よりも口径が小さく且つ前記入射面に向かって凹んだすり鉢状の出射面とを底面とし、前記入射面の周縁と前記出射面の周縁とを繋ぐ側面を、前記入射面から入射する光を反射する反射面とする立体形状に形成され、前記側面は、前記固体発光素子の光軸に沿って前記入射面から遠離るに連れて所定の割合で縮径する複数の傾斜面を有し、前記複数の傾斜面が縮径する前記割合が前記入射面からの距離に対応して互いに異なるように形成されることを特徴とする。
【０００９】
この照明器具用配光レンズにおいて、前記複数の傾斜面は、前記入射面に近い方の第１傾斜面と、前記入射面から遠い方の第２傾斜面とからなり、前記第１傾斜面と前記第２傾斜面との境界が、前記入射面から前記出射面までの中間位置よりも前記入射面寄りの位置となるように形成されることが好ましい。
【００１０】
この照明器具用配光レンズにおいて、前記複数の傾斜面は、前記入射面に近いものほど、前記縮径する割合が小さくなるように形成されることが好ましい。
【００１１】
本発明の照明器具は、前記何れかの照明器具用配光レンズと、固体発光素子からなる光源と、前記照明器具用配光レンズ及び前記光源を保持する器具本体とを備えることを特徴とする。
【００１２】
この照明器具において、前記複数の傾斜面の境界で前記照明器具用配光レンズを保持する保持部材を備えることが好ましい。
【発明の効果】
【００１３】
本発明の照明器具用配光レンズ及び照明器具は、入射面に入射した光が直接又は側面で反射されて出射面から出射されるので、固体発光素子から放射される光を広角に配光することができる。しかも、出射面を形成する曲面が入射面に向かって凹んでいるため、埋め込み形の照明器具に用いられる場合においても、天井材から下に突出しない。また、入射面に近い方の傾斜面で反射する光の配光を、入射面から遠い方の傾斜面で反射する光の配光よりも相対的に挟角にするので、側面の縮径する割合が一定である場合と比べて、照射面の照度低下を抑えつつ、配光による光度のむらを低減することができる。その結果、本発明の照明器具用配光レンズ及び照明器具は、見栄えの低下を抑制しつつ固体発光素子から放射される光を広角に配光することが可能になるという効果がある。
【図面の簡単な説明】
【００１４】
【図１】本発明に係る照明器具用配光レンズの実施形態を示す断面図である。
【図２】同上の配光特性を説明する説明図である。
【図３】同上の比較例を示す断面図である。
【図４】同上の比較例の配光特性を説明する説明図である。
【図５】本発明に係る照明器具の実施形態を示す分解斜視図である。
【図６】同上の設置状態を示す斜視図である。
【図７】本発明に係る照明器具用配光レンズの他の実施形態を示す断面図である。
【図８】本発明に係る照明器具用配光レンズのさらに他の実施形態を示す断面図である。
【図９】本発明に係る照明器具用配光レンズの別の実施形態を示す断面図である。
【発明を実施するための形態】
【００１５】
以下、本発明に係る照明器具用配光レンズ及び照明器具の実施形態について、図面を参照して詳細に説明する。
【００１６】
本実施形態の照明器具１は、図５及び図６に示すように天井材100に設けられた埋込孔100Aに埋め込み配設され、且つ電力系統からの給電が停止(停電)したときに非常用電源４から給電して光源を点灯する非常用照明器具である。ただし、本発明の技術思想が適用可能な照明器具は本実施形態の非常用照明器具に限定されるものではなく、非常用照明器具以外の埋め込み形の照明器具にも適用可能である。また、以下の説明では、図５において上下左右前後の各方向を規定する。
【００１７】
この照明器具１は、ケース10、ベース２、カバー３、非常用電源４、光源ユニット５、電源装置６、一対の取付ばね７、端子台８などを備える。
【００１８】
ケース10は、アルミダイカストによって下面が開放された有底円筒形状に形成されている。ケース10の開放端(以下、開口部11と呼ぶ。)側の側壁には、ベース２の各引掛部23の引掛爪231が引っ掛けられる矩形の孔12が、各引掛爪231と対応する位置に設けられている(図６では片方の孔12のみ図示している)。
【００１９】
ベース２は、扁平な円柱状の本体部21と、本体部21の下端より外向きに突出する円板状の鍔部22とがアルミダイカストによって一体に形成されている。
【００２０】
本体部21の底面には、光源ユニット５を収納するための凹部211が設けられ、さらに凹部211の底面には、光源ユニット５のLEDモジュール52に電気的に接続されたコネクタ(図示せず)を通すための孔(図示せず)が設けられている。さらに、本体部21の底面には、厚み方向(上下方向)に貫通する孔212が設けられている。
【００２１】
また、本体部21の側面には、上から見てＴ字状に開口するばね保持部213が、本体部21の中心軸を対称の中心とする点対称な位置にそれぞれ設けられている。さらに、本体部21の上面には、先端に引掛爪231を有する引掛部23が、本体部21の中心軸を対称の中心とする点対称な位置にそれぞれ設けられている。
【００２２】
そして、本体部21がケース10の開口部11に挿入され、一対の引掛爪231がケース10の孔12にそれぞれ引っ掛けられることで、ベース２がケース10に取り付けられる。本実施形態では、ケース10とベース２とで器具本体９が構成されている。
【００２３】
カバー３は、円板状の本体部31と、本体部31の上面から上向き(ベース２側)に突出する一対の引掛部32とを有する合成樹脂成形体からなる。
【００２４】
本体部31の底面には、ベース２の凹部211と対応する部位に円形の孔311が設けられ、さらに孔311の両側には長孔312がそれぞれ設けられている。また、本体部31の側面には、矩形の引掛溝313が、本体部31の中心軸を対称の中心とする点対称な位置にそれぞれ設けられている。
【００２５】
また、各引掛部32の先端には、互いに離れる方向(外向き)に延出する引掛爪(図示せず)がそれぞれ設けられている。
【００２６】
非常用電源４は、図５に示すように、上下方向に長い円筒状に形成された本体部41を有し、本体部41の内部には複数の蓄電池(図示せず)が上下方向に並べて収納されている。また、本体部41の上端には、電源装置６との間を電気的に接続する接続部42が設けられており、ケース10の底面に取り付けられた被接続部(図示せず)に接続部42を接続することで、非常用電源４と電源装置６とが電気的に接続される。
【００２７】
この非常用電源４は、電力系統から正常に給電されている間は電源装置６により蓄電池が充電され、電力系統が停電になると蓄電池に充電された電荷を放電して光源ユニット５に給電するように構成される。
【００２８】
光源ユニット５は、図５に示すように、配光レンズ51と、LEDモジュール52と、放熱部材53と、保持部材54とで構成される。LEDモジュール52は、矩形の実装基板の下面に固体発光素子(発光ダイオード521)が実装されて構成され、配光レンズ51の上方に配置される。放熱部材53は、発光ダイオード521が発する熱を放熱するためのものであり、LEDモジュール52の上面に密着して取り付けられる。これらの配光レンズ51、LEDモジュール52及び放熱部材53は、保持部材54により一体に組み立てられる。
【００２９】
一体に組み立てられた光源ユニット５は、発光ダイオード521側が開口側となるようにしてベース２の凹部211内に収納される。つまり、発光ダイオード521からの光は、凹部211を通して外部に照射される。なおこのとき、LEDモジュール52に電気的に接続された上記コネクタが、凹部211の底面に形成された孔(図示せず)を通して上方に露出した状態になる。
【００３０】
この光源ユニット５は、電力系統の停電時に非常用電源４から供給される直流電力によって点灯し、電力系統から正常に給電されている状態では点灯しない。つまり、この光源ユニット５は、電力系統の停電時にのみ点灯する非常用の光源である。
【００３１】
電源装置６は、図５に示すように、上下方向に長い矩形板状に形成された基板61を有し、基板61の一面(右面)には複数の電子部品62が実装されている。これらの電子部品62は、電力系統から供給される交流電力を所定の電圧値の直流電力に変換して非常用電源４の蓄電池に充電する充電回路と、非常用電源４の蓄電池から放電される直流電力を光源ユニット５に供給して光源ユニット５を点灯させる給電回路とを構成する。
【００３２】
この電源装置６には、光源ユニット５に電気的に接続された上記コネクタが接続されるコネクタ(図示せず)が設けられており、照明器具１を組み立てた状態では、上記コネクタを介して光源ユニット５と電源装置６とが電気的に接続される。
【００３３】
取付ばね７は、例えば板金に曲げ加工を施すことにより長尺且つ矩形板状に形成され、ベース２のばね保持部213にそれぞれ取り付けられる。そして、取付ばね７とベース２の鍔部22との間で天井材100を挟み込むことで、照明器具１が天井に取り付けられる(図６参照)。
【００３４】
端子台８は、従来周知の速結端子構造を有し、天井裏に先行配線された電源線(図示せず)が接続され、且つ電源装置６に電気的に接続された電線(図示せず)が接続される。そして、上記電源線及び上記電線をそれぞれ端子台８に接続することで、電力系統から電源装置６に交流電力が給電される。
【００３５】
ところで、天井材100に取り付けられた照明器具１のベース２がむき出しの状態では、ベース２の孔212を通してケース10内に収納された非常用電源４が下から見えてしまい、意匠的に好ましくない。そこで、本実施形態では、意匠性を向上させるために、ベース２の下面を覆うようにしてカバー３がベース２に取り付けられている。カバー３は、一対の引掛部32がベース２の孔212に挿入され、孔212の奥に設けられている被引掛部(図示せず)に各引掛部32が引っ掛かることでベース２に取り付けられる。
【００３６】
次に、本発明の要旨である配光レンズ51について、さらに詳細に説明する。
【００３７】
本実施形態の配光レンズ51は、図１に示すようにLEDモジュール52の発光ダイオード521から放射される光が入射する入射面510と、前記光が出射する出射面511と、入射面510の周縁と出射面511の周縁とを繋ぐ側面512とを有する立体形状に形成されている。なお、配光レンズ51は、石英ガラス、あるいはアクリル樹脂やポリカーボネート樹脂などの透光性材料で形成される。
【００３８】
入射面510は、円形の平坦面からなる。一方、出射面511は、中心部分に配置される円形の平坦面5110と、平坦面5110の外側に配置され、入射面510に向かって凹んだすり鉢状の曲面5111とを有する。この曲面5111は、側面512と繋がる周縁を原点とする放物線を、発光ダイオード521の発光中心を通る光軸Ｌの回りに回転させた回転体の外郭形状からなる。なお、この放物線は、以下の式で表される。
【００３９】
ｙ＝ａｘ2
ｙ：光軸Ｌと平行な方向の座標
ｘ：光軸Ｌに垂直な方向の座標
ａ：係数
上記式の係数ａは０＜ａ＜０．１の範囲であることが好ましく、特に、ａ＝０．０２近傍であることがより好ましい。このように設定されれば、出射面511(曲面5111)は、入射面510から直接的に入射した光、及び側面512で全反射されて入射した光の両方を、効果的に屈折させて、広角に配光することができる。係数ａが小さすぎると、出射面511(曲面5111)が平坦に近くなり、広角な配光を得ることができない。一方、係数ａが大き過ぎると、各入射光の入射角が大きくなり、出射面511を屈折透過することなく、配光レンズ51内ヘ全反射してしまい、ロスする光束が多<なる。
【００４０】
この配光レンズ51において、発光ダイオード521から放射される光を広角に配光しつつ、発光ダイオード521の直下の照度を上げるには、出射面511の平坦面5110の直径φ１と、出射面511の外周の直径φ２との比が、０＜φ１／φ２≦０．３３の範囲であることが好ましい。特に、φ１／φ２＝０．１５近傍であることがより好ましい。なお、出射面511の外周の直径φ２との比は、LEDモジュール51に搭載される発光ダイオード521自体の発光持性(特に、出力や配光曲線)も参照して設定される。
【００４１】
また、配光レンズ51の高さＨ１(入射面510と、出射面511の外縁を含む面との距離)と、入射面510の直径φ３との比は、０．５≦Ｈ１／φ３＜１．５であることが好まし<、Ｈ１／φ３＝１近傍であることがより好ましい。このように設定されれば、発光ダイオード521から放射される光のうち、出射面511に直接的に向かう光と、側面512で全反射されて出射面511に集光される光とのバランスを最適化することができる。また、配光レンズ51の高さＨ１に対して、入射面510の直径φ２が大き過ぎる(Ｈ１／φ３が小さ過ぎる)と、入射面510から入射した光が側面512に向かわない。一方、配光レンズ51の高さＨ１に対して、入射面510の直径φ３が小さ過ぎる(Ｈ１／φ３が大き過ぎる)と、入射面510から直接的に出射面511に向かう光が少なくなる。なお、配光レンズ51の高さＨ１と、入射面510の直径φ３との比は、LEDモジュール51に搭載される発光ダイオード521自体の発光持性(特に、出力や配光曲線)も参照して設定される。
【００４２】
図１に示すように、本実施形態の配光レンズ51によれば、入射面510から入射する光のうち、側面512で全反射される光(全反射光線群ＸＡ : 図１中の細い実線矢印参照)は、 出射面511を屈折透過し、光軸Ｌに対して広角に配光される。入射面510から比較的広角に放射された光は、側面512における入射面510に近い側の領域で全反射され、光軸Ｌの近傍に集光される。この光は、入射面510と平行な面に対する入射角が大きく、全反射され易い。しかし、配光レンズ51の出射面511(曲面5111)のうち、光軸Ｌに近い領域は、入射面510と平行な面に対する傾斜が大きいので、この光の入射角は小さくなる。その結果、この光は、出射面511で全反射されることなく効率的に屈折透過し、光軸Ｌに対して広角に配光される。
【００４３】
一方、側面512における出射面511に近い側の領域で全反射された光は、入射面510と平行な面に対する入射角が小さい。出射面511の周縁近傍は、入射面510と平行な面に対する傾斜角が小さいので、この光も出射面511で効率的に屈折透過する。なお、図１のように、光路を示す断面図においては、断面を示すハッチングを省略している。また、後述する一部の断面図においても同様とした。
【００４４】
また、入射面510から直接的に出射面511に向かう光(直接光線群ＸＢ：図１中の破線矢印参照)は、出射面511の平坦面5110を屈折透過して、発光ダイオード521の直下方向の照度向上に貢献する。
【００４５】
このように構成される配光レンズ51は、いわゆるバッドウィング形の配光特性を有する。特に、全反射光線群ＸＡは広角に配光され、直接光線群ＸＢが相対的に挟角に配光される。
【００４６】
ところで、側面512は、発光ダイオード521の光軸Ｌに沿って入射面510から遠離るに連れて所定の割合で縮径する複数(本実施形態では２つ)の傾斜面5110、5111を有する。なお、以下の説明では、入射面510に近い方の傾斜面5110を第１傾斜面と呼び、入射面510らか遠い方の傾斜面5111を第２傾斜面と呼ぶ。また、縮径の割合は、入射面510の垂線(例えば、入射面510の法線)を含む平面において、前記垂線と側面511とのなす角(以下、傾斜角と呼ぶ。)θで表すことにする。
【００４７】
本実施形態の配光レンズ51において、第１傾斜面5121が縮径する割合(第１傾斜角θ１)は、第２傾斜面5122が縮径する割合(第２傾斜角θ２)よりも多く(大きく)なっている(θ１＜θ２)。例えば、第１傾斜角θ１は６°以下に設定されることが好ましく、第２傾斜角θ２は１２°以下に設定されることが好ましい。特に、第１傾斜角θ１は２°近傍に設定され、第２傾斜角θ２は４°近傍に設定されることが好ましい。このように設定されれば、入射面510から入射する光が側面512で効率的に全反射されるので、出射面511から出射する光が広角に配光される。
【００４８】
ここで、図３に示すように、縮径の割合が入射面510´から出射面511´まで一定である、つまり、側面512´の傾斜角θが一定である配光レンズ51´(以下、比較例と呼ぶ。)の配光特性と、本実施形態の配光レンズ51の配光特性とを比較する。なお、比較例(配光レンズ51´)の側面512´の傾斜角θ３は、第１傾斜角θ１と第２傾斜角θ２の中間の値(θ１＜θ３＜θ２)に設定されているものとする。
【００４９】
図４中の曲線は比較例の配光特性を示している。なお、図４における横軸は光軸Ｌと光路とのなす角度を示し、縦軸は出射面511´から出射する光の光度(単位はカンデラ：ｃｄ)を示している。図４から明らかなように、従来例の配光特性には、概ね３つのピークが存在している。０°に最も近いピーク(３°〜５°付近のピーク)は、直下光線群ＸＣによるピークである。また、０°から最も遠いピーク(５８°付近のピーク)は、全反射光線群ＸＡによるピークである。さらに、中間のピーク(３８°付近のピーク)は、直接光線群ＸＢによるピークである。
【００５０】
一方、本実施形態の配光レンズ51では、第１傾斜面5121で全反射される光(第１全反射光線群ＸＤ：図１中の太い実線矢印参照)が、第２傾斜面5122で全反射される光(第２全反射光線群ＸＡ : 図１中の細い実線矢印参照)よりも、僅かに挟角に配光される。そのため、本実施形態の配光レンズ51の配光特性は、図２中に実線で示すように、０°から最も遠いピークが、比較例の配光特性(図２中の破線参照)と比べて、０°に近付く向きに移動することになる。つまり、本実施形態の配光レンズ51の配光特性は、比較例の配光特性に比べて、中間のピークと０°から最も遠いピークとの間に生じる谷の部分(４５°付近)の光度が相対的に大きくなっている。故に、本実施形態の配光レンズ51によれば、比較例と比べて、照射面の照度低下を抑えつつ、配光による光度のむら(レベル差)を低減することができる。
【００５１】
上述のように本実施形態の配光レンズ51は、入射面510と、入射面510に入射する光が出射する出射面511と、入射面510の周縁と出射面511の周縁とを繋ぐ側面512とを有する立体形状に形成される。入射面510は、固体発光素子(発光ダイオード521)から放射される光が入射する。出射面511は、入射面510よりも口径(直径φ２)が小さく且つ入射面510に向かって凹んだすり鉢状に形成される。側面512は、入射面510から入射する光を反射する反射面となる。また、側面512は、固体発光素子(発光ダイオード521)の光軸Ｌに沿って入射面510から遠離るに連れて所定の割合で縮径する複数の傾斜面5121，5122を有する。さらに、側面512は、複数の傾斜面5121，5122が縮径する割合が入射面510からの距離に対応して互いに異なるように形成される。
【００５２】
上記構成により、本実施形態の配光レンズ51は、入射面510に入射した光が直接又は側面512で反射されて出射面から出射されるので、発光ダイオード521から放射される光を広角に配光することができる。しかも、出射面511を形成する曲面5111が入射面510に向かって凹んでいるため、埋め込み形の照明器具１に用いられる場合においても、天井材100から下に突出しない。また、本実施形態の配光レンズ51は、入射面510に近い方の傾斜面5121で反射する光の配光を、入射面510から遠い方の傾斜面5121で反射する光の配光よりも相対的に挟角にする。そのため、本実施形態の配光レンズ51は、側面の縮径する割合(傾斜角)が一定である場合(比較例参照)と比べて、照射面の照度低下を抑えつつ、配光による光度のむらを低減することができる。その結果、本実施形態の配光レンズ51及び照明器具１は、見栄えの低下を抑制しつつ光源(発光ダイオード521)から放射される光を広角に配光することが可能になる。
【００５３】
ここで、配光レンズ51は、第１傾斜面5121と第２傾斜面5122の２つの傾斜面で側面512が形成されることが好ましい。つまり、側面512を構成する傾斜面の数が少ないほど、配光レンズ51の成形が容易になるという利点がある。また、側面512を構成する傾斜面の数が少ないほど、傾斜面の境界の数も少なくなるから、製造時に境界5123の角Ｒ(アール)を管理する手間が少なくなり、品質が維持し易くなるという利点もある。
【００５４】
さらに、配光レンズ51は、側面512における第１傾斜面5121と第２傾斜面5122との境界5123が、入射面510から出射面511までの中間位置よりも入射面510寄りの位置となるように形成されることが好ましい。つまり、図１に示すように、入射面510から境界5123までの高さＨ２に対して、出射面511から境界5123までの高さＨ３の方が高くなること(Ｈ２＜Ｈ３)が好ましい。
【００５５】
上述のように、第１傾斜面5121が配光特性の谷部の光度を大きくすることに貢献している。一方、側面512に対する第１傾斜面5121の割合が高くなるに連れて、第２全反射光線群ＸＡの光度が小さくなる。したがって、照射面の照度低下を抑えるためには、上述のように入射面510から境界5123までの高さＨ２に対して、出射面511から境界5123までの高さＨ３の方が高くなるようにすることが好ましい。
【００５６】
ところで、配光レンズ51は、図７に示すように入射面510との境界を含む側面512の上端部に、全周に渡って外向きに突出する外鍔513が設けられることが好ましい。つまり、保持部材54は、一対の爪540を外鍔513に引っ掛かけることで配光レンズ51を保持することができる。ここで、外鍔513が側面512における出射面511に近い部位に設けられると、配光レンズ51の配光制御の妨げになる虞があるので、上述のように外鍔513が側面512における入射面510に近い部位に設けられることが好ましい。ただし、外鍔513は必ずしも側面512の全周に設けられる必要は無く、側面512の一部に設けられてもよい。
【００５７】
あるいは、保持部材54は、複数の傾斜面5121、5122の境界5123で配光レンズ51を保持するように構成されてもよい。例えば、保持部材54に一対の保持片541が設けられ、各保持片541が、図８に示すように第１傾斜面5121と第２傾斜面5122に当たって境界5123で配光レンズ51を保持する。保持部材54がこのように構成されれば、外鍔513などの突起物を設けずに済むので、配光レンズ51の製造コストを削減することができる。ただし、図９に示すように保持片541の上端に、入射面510と当たるストッパ5410が設けられても構わない。
【符号の説明】
【００５８】
51  照明器具用配光レンズ
52  LEDモジュール
510  入射面
511  出射面
512  側面
521  発光ダイオード(固体発光素子)
5121  第１傾斜面
5122  第２傾斜面
5123  境界
【図１】
2015099205.tif 000003
【図２】
2015099205.tif 000004
【図３】
2015099205.tif 000005
【図４】
2015099205.tif 000006
【図５】
2015099205.tif 000007
【図６】
2015099205.tif 000008
【図７】
2015099205.tif 000009
【図８】
2015099205.tif 000010
【図９】
2015099205.tif 000011